(57)【要約】【課題】踏み段部の強度確保と設計の自由度の向上とを両立できる外部階段構造を提供することを目的とする。【解決手段】少なくとも一つの踏み段部５と、踏み段部５の両端部分を支える一対のササラ桁３とを備える屋外の鉄骨階段１Ａであって、踏み段部５は、ササラ桁３に支持される板状の荷重負担部材７と、荷重負担部材７に載置される板状の化粧部材９と、を有することを特徴とする。この鉄骨階段１Ａによれば、荷重負担部材７で強度を確保できれば足りるため、化粧部材９が強度確保の要求から解放される。従って、化粧部材９では、仕上げのための設計の自由度が向上する。一方で、荷重負担部材７には、仕上げのための処理や外観状の配慮が不要となり、素材を自由に選択でき、厚みを薄くしながら強度確保を行い易くなる。【選択図】図２
2010059744.tif 000002
【特許請求の範囲】
【請求項１】
建物の外側に設けられると共に、少なくとも一つの踏み段部と、前記踏み段部の両端部分を支える一対の桁部とを備える外部階段構造であって、
前記踏み段部は、前記桁部に支持される板状の荷重負担部材と、
前記荷重負担部材に載置される板状の化粧部材と、を有することを特徴とする外部階段構造。
【請求項２】
前記荷重負担部材は、鋼板を屈曲して形成され、一対の前記桁部間に架設されて前記化粧部材の載置面となる踏み板部と、前記踏み板部の端部に延設される蹴込み板部とを有することを特徴とする請求項１記載の外部階段構造。
【請求項３】
前記化粧部材は、複数の小割り化粧部材を敷き並べて設けられることを特徴とする請求項１または２記載の外部階段構造。
【請求項４】
複数の前記小割り化粧部材のうち、前記桁部同士の対面方向に沿って隣接する小割り化粧部材同士の継ぎ目は、
前記対面方向に直交する方向に沿って形成されることを特徴とする請求項３記載の外部階段構造。
【請求項５】
前記小割り化粧部材から前記荷重負担部材にわたって防水構造が形成されていることを特徴とする請求項３または４記載の外部階段構造。
【請求項６】
前記防水構造は、隣接の前記小割り化粧部材間に形成された排水溝と、前記小割り化粧部材と前記荷重負担部材との間に形成された防水層とを有することを特徴とする請求項５記載の外部階段構造。
【請求項７】
前記化粧部材は、前記桁部同士の対面方向及び前記対面方向に直交する方向に並ぶ縦横の複数の割れ溝が形成された下地部材と、前記下地部材上に固定された複数のタイルとを有することを特徴とする請求項１または２記載の外部階段構造。
【請求項８】
前記タイルおよび前記下地部材から前記荷重負担部材にわたって防水構造が形成されていることを特徴とする請求項７記載の外部階段構造。
【請求項９】
前記防水構造は、隣接の前記タイル間に形成された排水溝と、前記下地部材と前記荷重負担部材との間に形成された防水層とを有することを特徴とする請求項８記載の外部階段構造。
【請求項１０】
前記建物には、前記踏み段部に連絡する平坦な外廊下が設けられ、
前記踏み段部の化粧部材は、前記外廊下に面一な表面を有することを特徴とする請求項１記載の外部階段構造。
【発明の詳細な説明】
【技術分野】
【０００１】
本発明は、建物の屋外に設けられた鉄骨階段などの外部階段構造に関する。
【背景技術】
【０００２】
建物の屋外に設けられた鉄骨階段など（外部階段構造）は、鉄骨サララや力桁などの左右一対の桁部と、一対の桁部に支持された踏み段部とを備えている。この種の鉄骨階段では、例えば、特許文献１に記載されるように、踏み段部として機能するＰＣパネルが桁部に固着されている。ＰＣパネルは、それ自体で段板としての強度を有する必要があるため、強度確保のための所定の厚さ（例えば、５０ｍｍ程度）が必要である。また、外部階段構造の場合、踏み段部は、風雨に晒されるために排水性が要求され、さらに商品価値を上げるために意匠性（外観のデザイン性）も重視されるため、上面に溝が形成されたり、タイル等で仕上げが施されたりしている。
【０００３】
【特許文献１】特開２００４−３５３２５０号公報
【発明の開示】
【発明が解決しようとする課題】
【０００４】
従来の外部階段構造では、ＰＣパネル自体で強度を確保する必要があり、さらに、ＰＣパネルの上面には、仕上げのための溝などが必要となるために屋内の階段構造に比べて設計の自由度が要求される。しかしながら、従来の外部階段構造では、踏み段部を構成するＰＣパネルによって両方の要求、すなわち、強度と設計の自由度とを満たす必要があるため、例えば、溝などを形成しても強度が保てるようにＰＣパネルを厚くする必要があり、その結果、重重量となって現場等で作業者による持ち運びに過大な労力を要してしまうのみならず、かかる重重量のＰＣパネルを支持するための桁部の構造も大がかりとなってしまう。一方で、このような施工上の非効率を解消するためにＰＣパネルを少しでも薄くしようとすると、ＰＣパネルの強度確保等、割れを防止するための制約が多くなり、仕上げのための設計の自由度が低下してしまう。
【０００５】
本発明は、以上の課題を解決することを目的としており、踏み段部の強度確保と設計の自由度の向上とを両立できる外部階段構造を提供することを目的とする。
【課題を解決するための手段】
【０００６】
本発明は、建物の外側に設けられると共に、少なくとも一つの踏み段部と、踏み段部の両端部分を支える一対の桁部とを備える外部階段構造であって、踏み段部は、桁部に支持される板状の荷重負担部材と、荷重負担部材に載置される板状の化粧部材と、を有することを特徴とする。
【０００７】
本発明によれば、荷重負担部材で強度を確保できれば足りるため、化粧部材が強度確保の要求から解放される。従って、化粧部材では、仕上げのための設計の自由度が向上する。一方で、荷重負担部材には、仕上げのための処理や外観状の配慮が不要となり、素材を自由に選択でき、厚みを薄くしながら強度確保を行い易くなる。以上の結果として、本発明によれば、踏み段部の強度確保と設計の自由度の向上とを両立できる。
【０００８】
さらに、荷重負担部材は、鋼板を屈曲して形成され、一対の桁部間に架設されて化粧部材の載置面となる踏み板部と、踏み板部の端部に延設される蹴込み板部とを有すると好適である。荷重負担部材は、鋼板を屈曲して形成することで、踏み板部と蹴込み板部とが一体的に形成されるため、一対の桁部間で下方に荷重が働いた場合の撓みに強くなり、強度確保を行い易くなる。
【０００９】
さらに、化粧部材は、複数の小割り化粧部材を敷き並べて設けられると好適である。化粧部材が一枚板で形成されている場合に比べ、複数の各小割り化粧部材に作用する荷重（モーメント）は著しく低下し、化粧部材の割れを防止できて強度確保を行い易くなる。
【００１０】
さらに、複数の小割り化粧部材のうち、桁部同士の対面方向に沿って隣接する小割り化粧部材同士の継ぎ目は、対面方向に直交する方向に沿って形成されていると好適である。一対の桁部間で下方に荷重が働いて僅かな撓みが生じても、当該撓みに伴う隣接する踏段ルーフマット同士は継ぎ目の幅の範囲内で僅かに近接するものの、接触を免れ、これによって上記たわみに起因した踏段ルーフマットの損傷も防止される。
【００１１】
さらに、小割り化粧部材から荷重負担部材にわたって防水構造が形成されていると好適である。化粧部材は、複数の小割り化粧部材を敷き並べて形成されているが、防水構造が形成されているので、小割り化粧部材から荷重負担部材にかけての隙間から雨水や清掃用水などが侵入するのを抑止できる。
【００１２】
さらに、防水構造は、隣接の小割り化粧部材間に形成された排水溝と、小割り化粧部材と荷重負担部材との間に形成された防水層とを有すると好適である。排水溝を有するので、化粧部材上の水は速やかに排水溝に流れ込むこととなって当該化粧部材上に溜りにくくなる。さらに、防水層を有するので、小割り化粧部材と荷重負担部材との間に雨水や清掃用水などが浸入することに起因する荷重負担部材の腐蝕を抑止できる
【００１３】
また、本発明の化粧部材は、桁部同士の対面方向及び対面方向に直交する方向に並ぶ縦横の複数の割れ溝が形成された下地部材と、下地部材上に固定された複数のタイルとを有すると好適である。下地部材を荷重負担部材の上に設置した後で、下地部材に荷重をかけると下地部材は割れ溝に沿って簡単に割れる。下地部材を割れ溝に沿って意図的に割っておくことで、割れた箇所で荷重負担部材の撓みを吸収し易くなり、タイルの割れを抑止できる。
【００１４】
さらに、タイルおよび下地部材から荷重負担部材にわたって防水構造が形成されていると好適である。防水構造を形成することで、タイルおよび下地部材から荷重負担部材にかけて隙間から雨水や清掃用水などが侵入するのを抑止できる。
【００１５】
さらに、防水構造は、隣接のタイル間に形成された排水溝と、下地部材と荷重負担部材との間に形成された防水層とを有すると好適である。排水溝を有するので、雨が降った場合に化粧部材上に溜りにくくなり、さらに、防水層を有するので、タイルと荷重負担部材との間に雨水や清掃用水などが浸入するのを抑止できる。
【００１６】
また、本発明に係る建物には、踏み段部に連絡する平坦な外廊下が設けられ、踏み段部の化粧部材は、外廊下に面一な表面を有すると好適である。外廊下から踏み段部まで面一に連絡するので段差がなくなり、また、段差を解消するための勾配となる部材も不要となるため、部材の削減に有効である。
【発明の効果】
【００１７】
本発明によれば、踏み段部の強度確保と設計の自由度の向上とを両立できる。
【発明を実施するための最良の形態】
【００１８】
以下、本発明の好適な実施形態について図面を参照しながら説明する。図１は、集合住宅（建物）の二階部分の外廊下と鉄骨階段との連絡部分を拡大して示す平面図であり、図２は図１のＩ−Ｉ線に沿った断面図であり、図３は鉄骨階段を拡大して示す斜視図である。
【００１９】
図１〜図３に示されるように、鉄骨階段（外部階段構造）１Ａは、建物Ｂの外側に設けられた屋外階段であり、階段を昇る際に、途中で踊り場を介して逆方向に昇る折り返し階段である。鉄骨階段１Ａには、建物Ｂの梁によって支えられた左右一対のササラ桁３を備える。一対のササラ桁３は、斜めで、且つ互いに平行になるように配置された処理鋼板であり、等間隔で配置された複数の踏み段部５の両端部分を両側から挟むように支持している。踏み段部５は、板状の荷重負担部材７と板状の化粧部材９との二層構造になっている。
【００２０】
荷重負担部材７は、縦長の処理鋼板を何段にも折り曲げて形成されており、ササラ桁３にアングル部１０を介してボルト留めされており、一対のササラ桁３間に架設されている。荷重負担部材７はササラ桁３に突き当てられており、荷重負担部材７の上面側とササラ桁３との隙間には（図３参照）、シーリング材を用いて防水のためのシーリング処理（シーリング部２２）が施されている。さらに、荷重負担部材７の上面には、防水シートが貼り付けられて防水層１１が形成されている。防水層１１の上面には接着剤が塗布されて化粧部材９が接着されている。
【００２１】
荷重負担部材７について、鋼板の一段（以下、「単位段部」と称する）を例に具体的に説明する。単位段部は、断面Ｌ字状に折り曲げられて形成されており、一対のササラ桁３の対面方向に沿った直線状の折り目ＢＬを有する。単位段部では、折り目ＢＬを挟んで一方側は水平状に配置されて化粧部材９の載置面となる踏み板部１３となっている。また、他方側は垂直状に配置され、踏み板部１３の端部１３ａに延設された状態の蹴込み板部１５となっている。なお、本実施形態では、踏み板部１３と蹴込み板部１５との間の折り曲げ角度は略９０°であり、蹴込み板部１５は、踏み板部１３に対して垂直状に配置されている。しかしながら、この折り曲げ角度を鋭角とし、蹴込み板部１５の下側に蹴込みの領域を形成するようにしてもよい。
【００２２】
化粧部材９は、踏み板部１３や蹴込み板部１５を覆うように敷き並べられる複数の踏段パネル材１７からなる。踏段パネル材１７は、ＰＣ（プレキャスト）コンクリート製であり、芯材としてナイロン製のメッシュが内部に配されている。踏み板部１３上に載置される踏段パネル材１７は、踏み板部１３の撓みに起因する割れを防止し得る厚さを有していれば足り、本実施形態では２５ｍｍ程度の厚さを有している。一方で、蹴込み板部１５に貼り付けられる踏段パネル材１７は、踏み板部１３の撓みに起因する割れを考慮する必要は無いため、踏み板部１３上に配置される踏段パネル材１７に比べて薄くても良く、本実施形態では２０ｍｍ程度の厚さを有している。また、踏段パネル材１７の横幅、すなわち、踏み板部１３上に並べた際の一対のササラ桁間の対面方向ＣＤの幅Ｌ（図４参照）は、例えば、１５０ｍｍ〜３００ｍｍ程度である。
【００２３】
また、踏段パネル材１７は、汎用性を持たせるために予め規定した複数種の形状が施工のために準備されている。例えば、踏み板部１３上に載置される踏段パネル材１７としては、踏み板部１３の中央の領域に配置される矩形のパーツ（図４（ｂ）参照）や踏み板部１３の端部（段鼻部）に被るような垂れ部分１７ｂが形成された矩形のパーツ（図４（ａ）参照）が準備されており、踏み板部１３や蹴込み板部１５の形状及び寸法に合わせて適宜に選択され、必要に応じて適当な形状に切断される。本実施形態では、踏み板部１３上に載置される踏段パネル材１７が小割り化粧部材に相当する。
【００２４】
踏段パネル材１７の表側、すなわち、踏み板部１３や蹴込み板部１５に接する裏面とは反対となる側には、表面を複数の小エリアＡに区画するための床溝１７ａが形成されている。床溝１７ａは、例えば十字状に交差して形成され、床溝１７ａの表面を矩形の小エリアＡに四分割する。
【００２５】
踏段パネル材１７が載置される踏み板部１３はフラットであり、踏段パネル材１７も、フラットな状態で敷き並べられている。従って、踏み板部１３上の踏段パネル材１７表面では、積極的な水勾配は形成されず、雨水や清掃用に撒かれた水などは水勾配による自然流下（重力流下）によって排水されることはない。しかしながら、水位の上昇に伴って床溝１７ａからはオーバーフローによって円滑な排水が促され、少なくとも床溝１７ａで区画された小エリアＡの表面からは、水が逃げやすくなる。従って、フラットな面であっても、効率的な排水が可能になる。床溝１７ａの深さや幅は、このような排水機能を確保するために、降雨量や散水量を想定して適宜に設定することが好ましく、例えば、複数の踏段パネル材１７を敷き並べた際に、床溝１７ａが１００ｍｍピッチで格子状となるように設定すると好適である。
【００２６】
踏段パネル材１７の配置の一例を説明すると、踏み板部１３上には、ササラ桁３の対面方向（以下、「横方向」という）ＣＤ（図１参照）に複数列、横方向ＣＤに直交する方向（以下、「縦方向」という）ＬＤに複数列となるように踏段パネル材１７が敷き並べられている。特に、縦方向ＬＤの最前列、すなわち段鼻に沿って並ぶ複数の踏段パネル材１７には、踏み板部１３の端部（段鼻）に被る垂れ部分１７ｂが形成されている。垂れ部分１７ｂが形成された踏段パネル材１７の表面には、滑り留めとなる床溝１７ｃが形成されている。
【００２７】
横方向ＣＤに沿って隣接する踏段パネル材１７同士の継ぎ目Ｓ１は、縦方向ＬＤに沿って形成されている。継ぎ目Ｓ１を縦方向ＬＤに沿って形成するようにすることで得られる利点について図５を参照して説明する。図５は、踏み板部１３および踏み板部１３上の踏段パネル材１７を模式的に示す図であり、（ａ）は荷重がかかっていない場合であり、（ｂ）は荷重がかかっている場合を示している。
【００２８】
踏み板部１３は、左右一対のササラ桁３によって支持されており、住居者などの昇り降りに伴い、踏み板部１３には鉛直下方に向けて繰り返し荷重が働く。この荷重や周囲の温度変化等により、踏み板部１３には、きわめて僅かではあるが弓状に横方向ＣＤの中央部を中心として下側に膨らむような撓みが生じる場合がある。その際であっても、例えば、本実施形態では、複数の踏段ルーフマット１７を敷き並べて化粧部材９を形成するので、各踏段ルーフマット１７に作用する荷重（モーメント）は、一枚板で踏み板部表面１３を覆う化粧部材に比べて著しく低下し、化粧部材９の割れを防止できて強度確保を行い易くなる。特に、本実施形態では、隣接する踏段ルーフマット１７同士の継ぎ目Ｓ１が縦方向ＬＤに沿って形成されているので、一対のササラ桁３間で踏み板部１３に上述の如き撓みが生じる場合であっても、当該撓みに伴う隣接する踏段ルーフマット１７同士は継ぎ目Ｓ１の幅の範囲内できわめて僅かに近接するものの、接触を免れ、これによって上記撓みに起因した踏段ルーフマット１７の損傷も防止されるのである。
【００２９】
蹴込み板部１５は、踏み板部１３の前端部（段鼻）から垂直状に垂れ下がるように設けられており、蹴込み板部１５の下端には、次の踏み板部１３（以下、「下段踏み板部」という）が連なっている。蹴込み板部１５の下部である下段踏み板部１３の奥側、すなわち蹴込み板部１５の下部には、蹴込み板部１５に貼り付けられる踏段パネル材１７の高さを保持して嵩上げするために、角バッカー１９が接着されている。踏段パネル材１７は、角バッカー１９に嵩上げされ、複数枚が並んで蹴込み板部１５に貼り付けられている。なお、下段踏み板部１３には、角バッカー１９を除けて踏段パネル材１７が敷き並べられて接着剤で固定されている。
【００３０】
次に、図３を参照して防水構造２１について説明する。防水構造２１は、踏段パネル材１７から荷重負担部材７にわたって形成されており、踏段パネル材１７同士の継ぎ目Ｓ１と、踏段パネル材１７と踏み板部１３との間に形成された防水層１１とからなる。踏段パネル材１７同士の継ぎ目Ｓ１は、踏段パネル材１７上の床溝１７ａ，１７ｃを伝って流れてきた雨水や清掃用水を排出する排水溝としても機能する。その結果、踏段パネル材１７上に雨水や清掃用水が溜りにくくなる。
【００３１】
また、踏段パネル材１７と踏み板部１３との間の防水層１１は、雨水や清掃用水が、継ぎ目Ｓ１を介して踏段パネル材１７と踏み板部１３との間に侵入してくるのを抑止でき、鋼板からなる踏み板部１３の腐蝕による劣化を防止できる。さらに、防水層１１の上を踏段パネル材１７が覆うので、歩行者の歩行等により、防水層１１に切り傷、破れまたは擦れ等が形成されて損傷、劣化してしまうことを防止でき、また、防水層１１を隠すことで、意匠性を向上させ易くなる。なお、本実施形態に係る防水構造２１には、荷重負担部材７の上面側とササラ桁３との隙間にシーリング処理が施されたシーリング部２２も含められる。
【００３２】
（外廊下の構造）
まず、図１を参照して、建物Ｂの外廊下２３の構造を説明する。図１に示されるように、例えば、二階部分の外廊下２３は、建物Ｂの躯体を構成する躯体スラブ上に防水層を形成して構成されている。また、該防水層のフラットな上面（施工面）には、プライマー処理が施されており、さらに、施工面上には、プライマー処理の前に行われた墨出しに沿って複数の平部パネル材２５が敷き並べられて接着されている。平部パネル材２５が敷き並べられた領域の縁部には、排水孔につながる排水溝２７が形成されている。
【００３３】
平部パネル材２５は、前述の踏段パネル材１７と同様に、ＰＣ（プレキャスト）コンクリート製であり、厚みが２５ｍｍ程度の矩形のプレートである。平部パネル材２５の表面、すなわち施工面に載置される裏面とは逆側の面には、その表面を格子状に区画して複数の小エリアＡａを形成するための床溝２５ａが形成されている。平部パネル材２５は、フラットな状態で敷き並べられており、積極的な水勾配は形成されず、雨水や清掃用に撒かれた水などを水勾配に従って流下させる機能はない。しかしながら、水位の上昇に伴って床溝２５ａから排水溝２７へのオーバーフローによって円滑な排水を促し、少なくとも床溝２５ａで区画された小エリアＡａからは、床溝２５ａおよび排水溝２７を介して水が逃げやすくなる。床溝２５ａの深さや幅は、このような排水機能を確保するに足りる寸法を適宜に選択すれば足りる。
【００３４】
外廊下２３に敷き詰められた平部パネル材２５の床溝２５ａの目地と、鉄骨階段１Ａの最上段の踏み板部１３上に敷き詰められた踏段パネル材１７の床溝１７ａの目地とは、必ずしも同一直線状に揃わない。これは、平部パネル材２５の目地は、意匠的な観点から外廊下２３の幅方向の中心に沿わせるのが有効であり、鉄骨階段１Ａの踏段パネル材１７は、一対のササラ桁３間の対面方向（横方向）の中心に沿わせるのが有効であるため、両者の基準となる中心線が必ずしも一致しないためである。そこで、本実施形態では、外廊下２３の平部パネル材２５と鉄骨階段１Ａの踏段パネル材１７との間に、視認用グリッドパネル２９を敷いている。
【００３５】
視認用グリッドパネル２９は、踏段パネル材１７や平部パネル材２５と同様に、ＰＣパネルであるが、表面には、踏段パネル材１７や平部パネル材２５よりも細かくエリアを区画する複数の床溝が形成されている。平部パネル材２５と踏段パネル材１７との間に視認用グリッドパネル２９を設けて視覚的な縁切りを行うことで、平部パネル材２５と踏段パネル材１７との間の目地のズレが目立たなくなり、意匠性を向上できる。
【００３６】
なお、踏段パネル材１７と平部パネル材２５との目地を一致させることが可能である割付けを採用可能な場合には、当該視認用グリッドパネルを不要とする構成を採用することも可能である。
【００３７】
また、図２に示されるように、外廊下２３は平坦であり、外廊下２３に敷き並べられた平部パネル材２５や視認用グリッドパネル２９の厚みは２５ｍｍ程度である。そして、外廊下２３に連絡する鉄骨階段１Ａの最上段の踏み段部５、具体的には、最上段の踏段パネル材１７は、外廊下２３に面一な表面を形成するように、平部パネル材２５や視認用グリッドパネル２９と同様の２５ｍｍ程度の厚みにしている。外廊下２３から踏み段部５まで面一に連絡することで、段差がなくなり、また、段差を解消するための勾配となる部材も不要となるため、部材の削減に有効である。
【００３８】
（踊り場の構造）
また、鉄骨階段１Ａは、折り返しする場所に踊り場（図示せず）が設けられている。この踊り場では、鋼板からなる平板状の荷重負担部材上に防水シートを貼設して形成される防水層を設けて構成されている。防水層のフラットな上面（施工面）には、プライマー処理が施されており、さらに、施工面上には、プライマー処理の前に行われた墨出しに沿って複数の平部パネル材（図１参照）が敷き並べられて接着されている。踊り場用の平部パネル材は、外廊下２３に敷き並べられた平部パネル材と同様な構成からなり、上面には、複数の小エリアを形成するための格子状の床溝が形成されている。平部パネル材が敷き並べられた領域の縁部には、排水孔につながる排水溝が形成されている。
【００３９】
踊り場用の平部パネル材は、フラットな状態で敷き並べられており、積極的な水勾配は形成されず、雨水や清掃用に撒かれた水などを水勾配に従って流下させる機能はない。しかしながら、水位の上昇に伴って、床溝から排水溝へのオーバーフローによって円滑な排水を促し、少なくとも床溝で区画された小エリアからは、床溝および排水溝を介して水が逃げやすくなる。床溝の深さや幅は、このような排水機能を確保するに足りる寸法を適宜に選択すれば足りる。
【００４０】
以上の鉄骨階段１Ａによれば、荷重負担部材７で強度を確保できれば足りるため、化粧部材９が強度確保の要求から解放される。従って、化粧部材９では、強度に囚われずに意匠性を向上させるための仕上げを行うことができ、設計の自由度が向上する。一方で、荷重負担部材７には、仕上げのための処理や外観状の配慮が不要となり、素材を自由に選択でき、厚みを薄くしながら強度確保を行い易くなる。以上の結果として、本実施形態によれば、踏み段部５の強度確保と設計の自由度の向上とを両立できる。
【００４１】
さらに、荷重負担部材７は、鋼板を屈曲して形成され、一対のササラ桁３間に架設されて化粧部材９の載置面となる踏み板部１３と、踏み板部１３の端部に延設される蹴込み板部１５とを有する。荷重負担部材７は、鋼板を屈曲して形成することで、踏み板部１３と蹴込み板部１５とが一体的に形成されるため、一対のササラ桁３間で下方に荷重が働いた場合の撓みに強くなり、強度確保を行い易くなる。また、荷重負担部材７は鋼板からなるため、荷重による負担が無くても、周囲環境の温度変化等に追従して僅かに撓む可能性がある。しかしながら、荷重負担部材７に設置される化粧部材９は、複数の踏段パネル材１７を敷き並べて構成されるので、踏段パネル材１７同士を突き合わせた継ぎ目Ｓ１で撓みを吸収でき、踏段パネル材１７の割れを防止できるので強度確保を行い易い。
【００４２】
さらに、複数の踏段パネル材１７を敷き並べて化粧部材９を構成することにより、継ぎ目Ｓ１をデザインとして捉えることもでき、意匠性の向上も期待できる。
【００４３】
（第２実施形態）
次に、第２実施形態に係る外部階段構造について、図６〜図８を参照して説明する。図６は第２実施形態に係る鉄骨階段の断面図であり、図７は鉄骨階段を拡大して示す斜視図であり、図８は、タイル下地プレートを示す図である。なお、以下の説明において、第１実施形態に係る説明と同一の要素や部材については、同一の符号を付して詳細説明を省略する。
【００４４】
図６及び図７に示されるように、鉄骨階段（外部階段構造）１Ｂは、建物Ｂの外側に設けられた屋外階段である。鉄骨階段１Ｂには、建物Ｂの梁によって支えられた左右一対のササラ桁３を備える。ササラ桁３は、複数の踏み段部３１の両端部分を両側から挟むように支持している。踏み段部３１は、板状の荷重負担部材７と板状の化粧部材３３との二層構造になっている。
【００４５】
荷重負担部材７は、第１実施形態と同様の構成からなる。また、化粧部材３３は、荷重負担部材７の踏み板部１３に載置されるタイル下地パネル３５と、タイル下地パネル３５上に固定される複数のタイル３７とからなる。
【００４６】
踏み板部１３上には、防止シートが貼られて防水層１１が形成され、タイル下地パネル３５は、防水層１１の上に接着剤で固定されている。タイル下地パネル３５は、プレキャスト（ＰＣ）コンクリート製の矩形のプレートである。図８に示されるように、タイル下地パネル３５のタイル３７が設置される載置面側には、ササラ桁３同士の対面方向（横方向）及び横方向に直交する方向（縦方向）に並ぶ縦横の複数の割れ溝３５ａが形成されている。本実施形態では、タイル下地パネル３５が、下地部材に相当する。
【００４７】
タイル下地パネル３５は、防水層１１を介して踏み板部１３上に接着された後、不陸や段差が生じないように施工作業者によって踏みならされ、平滑になるように仕上げられる。この際、タイル下地パネル３５は割れ溝３５ａに沿って割れる。タイル下地パネル３５上にタイル３７が固定されるが、タイル下地パネル３５が一体的な一枚のパネルの状態のままだと、踏み板部１３の撓みに伴うタイル下地パネル３５の割れによって、その上に接着されているタイル３７も割れてしまう。しかしながら、タイル下地パネル３５を予め割っておくことで、タイル下地パネル３５の割れ目で踏み板部１３の撓みを吸収できるようになり、タイル３７の破損を抑止して所定の強度を確保し易くなる。
【００４８】
タイル３７は矩形であり、複数のタイル３７が、タイル下地パネル３５上に敷き並べられ、モルタル又は接着剤を介してタイル下地パネル３５に固定されている。
【００４９】
次に、図６及び図７を参照して防水構造３９について説明する。防水構造３９は、タイル３７及びタイル下地パネル３５にわたって形成されており、タイル３７同士の継ぎ目Ｓ２と、隣接するタイル下地パネル３５同士の継ぎ目Ｓ３と、タイル下地パネル３５と踏み板部１３との間に形成された防水層１１とからなる。タイル３７同士の継ぎ目Ｓ２は、図６中に示す如くモルタルが充填されているものの、当該モルタルの撥水性は寡少であり、当該モルタルを通過して水分がタイル下地パネル３５に向けて滴る場合もあり、そうすると、当該継ぎ目Ｓ２は、タイル３７上の溝を伝って流れてきた雨水や清掃用水を排出する排水溝としても機能する。その結果、タイル３７上に雨水や清掃用水が溜りにくくなる。また、タイル下地パネル３５間の継ぎ目Ｓ３は、上記継ぎ目Ｓ２を通じて滴ってきた液滴等の排水溝として機能する。また、タイル下地パネル３５と踏み板部１３との間の防水層１１は、上記液滴等が、継ぎ目Ｓ３を介してタイル下地パネル３５と踏み板部１３との間に侵入してくるのを抑止できる。
【００５０】
鉄骨階段１Ｂに連絡する外廊下２３は平坦であり、外廊下２３に敷き詰められた平部パネル材２５（図１参照）の厚みは、第１実施形態と同様に２５ｍｍ程度である。そして、外廊下２３に連絡する鉄骨階段１Ｂの最上段の踏み段部３１、具体的には、最上段の踏み板部１３の上に載置されるタイル下地パネル３５とタイル３７とを合わせた厚みは、外廊下２３に面一な表面を形成するように、平部パネル材２５と同様の２５ｍｍ程度の厚みにしている。外廊下２３から踏み段部３１まで面一に連絡することで、段差がなくなり、また、段差を解消するための勾配となる部材も不要となるため、部材の削減に有効である。
【００５１】
また、タイル下地パネル３５は嵩上げ調整材（高さ調整材）としても機能することとなり、これによって、第１実施形態の外廊下と外部階段構造の荷重負担部材を有する構成であっても該第２実施形態のタイル仕上げを採用することが可能となり、設計者は、外階段構造に対して第１実施形態の踏み段パネル材仕上げと第２実施形態のタイル仕上げのいずれをも採用し得ることができるのである。
【００５２】
以上の鉄骨階段１Ｂによれば、荷重負担部材７で強度を確保できれば足りるため、化粧部材３３が強度確保の要求から解放される。従って、化粧部材３３では、仕上げのための設計の自由度が向上する。一方で、荷重負担部材７には、仕上げのための処理や外観状の配慮が不要となり、素材を自由に選択でき、厚みを薄くしながら強度確保を行い易くなる。以上の結果として、本実施形態によれば、踏み段部３１の強度確保と設計の自由度の向上とを両立できる。
【００５３】
以上、本発明をその実施形態に基づき具体的に説明したが、本発明は、上記実施形態に限定されるものではない。例えば、本発明は、一対のササラ桁によって踏み段部を支える構造に限定されず、一対の力桁によって踏み段部を支える構造であってもよい。
【００５４】
また、上記の各実施形態では、踊り場が設けられた例を説明したが、踊り場が設けられず、直上の階段構造であってもよい。さらに、桁部に支えられた踏み段部は、複数段に限定されず、一段のみであってもよい。
【００５５】
また、上記の各実施形態では、踏み板部上の化粧部材がフラットな場合を例示して説明したが、例えば、１／１００程度の水勾配を有する構成であってもよい。
【図面の簡単な説明】
【００５６】
【図１】集合住宅の二階部分の外廊下と鉄骨階段との連絡部分を拡大して示す平面図である。
【図２】図１のＩ−Ｉ線に沿った断面図であり、第１実施形態に係る鉄骨階段の断面図である。
【図３】第１実施形態に係る鉄骨階段の単位段部を拡大して示す斜視図である。
【図４】踏段ルーフパネルを示し、（ａ）は段鼻部に被る垂れ部分が形成されたパーツの斜視図であり、（ｂ）は踏み板部の中央の領域に配置される矩形のパーツの斜視図である。
【図５】踏み板部および踏み板部上の踏段パネル材を模式的に示す図であり、（ａ）は荷重がかかっていない場合を示す図であり、（ｂ）は荷重がかかっている場合を示している図である。
【図６】第２実施形態に係る鉄骨階段の断面図である。
【図７】第２実施形態に係る鉄骨階段の単位段部を拡大して示す斜視図である。
【図８】タイル下地プレートを示す図であり、（ａ）は平面図、（ｂ）は（ａ）のｂ−ｂ線に沿った断面図、（ｃ）は（ａ）のｃ−ｃ線に沿った断面図である。
【符号の説明】
【００５７】
１Ａ，１Ｂ…鉄骨階段、３…ササラ桁（桁部）、５，３１…踏み段部、７…荷重負担部材、９，３３…化粧部材、１１…防水層、１３…踏み板部、１５…蹴込み板部、１７…踏段パネル材（小割り化粧部材）、２１，３９…防水構造、２３…外廊下、３５…タイル下地パネル（下地部材）、３７…タイル、Ｂ…建物、ＣＤ…一対のササラ桁の対面方向、ＬＤ…一対のササラ桁の対面方向に直行する方向、Ｓ１…踏段パネル材の継ぎ目（排水溝）、Ｓ２…タイルの継ぎ目。
【図１】
2010059744.tif 000003
【図２】
2010059744.tif 000004
【図３】
2010059744.tif 000005
【図４】
2010059744.tif 000006
【図５】
2010059744.tif 000007
【図６】
2010059744.tif 000008
【図７】
2010059744.tif 000009
【図８】
2010059744.tif 000010